(57)【要約】【課題】据え付け施工時に施工者によって調整及び初期設定された最適な泡質をユーザが誤って低下させることがなく、簡素でコスト低廉な泡入浴装置を提供する。【解決手段】浴室９１に設置された浴槽９２に生成した泡を供給する泡生成装置２と、浴室外に電源入り切り手段３４を有し複数の制御モードを内部に有して生成する泡質の調整ならびに泡生成動作及び停止を制御する制御装置３と、浴室を利用するユーザが操作する操作スイッチ４２、４３を有して制御装置３の制御モードを切り替え操作する操作装置（操作部４１）と、を備えた泡入浴装置１であって、少なくとも電源入り切り手段３４の操作を含む複数の操作を組合せた操作手順により、制御御装置３の制御モードを泡生成装置２の泡質を調整する泡質調整モードに遷移させるようにした。【選択図】図１
2013090876.tif 000002
【特許請求の範囲】
【請求項１】
温水に空気を混入させて泡を生成し、生成された泡を浴室に設置された浴槽に供給する泡生成装置と、前記浴室外に電源入り切り手段を有し複数の制御モードを内部に有して前記泡生成装置で生成する泡の泡質の調整ならびに泡生成動作及び停止を制御する制御装置と、前記浴室を利用するユーザが操作する操作スイッチを有して前記制御装置の制御モードを切り替え操作する操作装置と、を備えた泡入浴装置であって、
少なくとも前記制御装置の電源入り切り手段の入り操作を含む複数の操作を組み合わせた操作手順を実施することにより、前記制御装置の制御モードを前記泡生成装置の泡質を調整する泡質調整モードに遷移させるようにした泡入浴装置。
【請求項２】
請求項１に記載の泡入浴装置であって、前記操作手順は、前記電源入り切り手段が入り操作されてから前記操作スイッチが操作されるまでの起動時間、及び、前記操作スイッチが操作されてから前記電源入り切り手段が切り操作されるまでの停止時間の少なくとも一方を所定時間範囲内に限定した操作を含む泡入浴装置。
【請求項３】
請求項１または２に記載の泡入浴装置であって、前記制御装置の前記泡質調整モードにおいて、前記操作装置の操作スイッチの操作により前記泡生成装置で前記泡質を調整するときの動作条件を変更できるようにした泡入浴装置。
【請求項４】
請求項１〜３のいずれか一項に記載の泡入浴装置であって、前記制御装置の電源入り切り手段は、電源プラグのコンセントへの差し操作及びコンセントからの抜き操作によって行われる泡入浴装置。
【発明の詳細な説明】
【技術分野】
【０００１】
本発明は、泡を含んだ温水を浴槽に供給する泡入浴装置に関し、より詳細には、据え付け施工時に泡質を調整する際の泡質調整モードに遷移する操作手順に特徴を有した泡入浴装置に関する。
【背景技術】
【０００２】
従来の泡入浴装置には、温水に空気を混入させて撹拌することにより泡を生成する泡生成装置と、泡生成装置の泡生成動作及び停止を制御する制御装置と、浴室内に設けられ、入浴中のユーザが泡生成動作及び停止を容易に切り替え操作をおこなう操作装置と、を備えるものがある。この種の泡入浴装置では、設置箇所の環境条件、例えば浴槽の大きさや給湯器の温水吐出圧などに依存して泡質が変化し得る。このため、制御装置に泡質調整モードを持たせ、設置箇所への据え付け施工時に、施工者が泡生成装置の動作条件を調整し、泡質が最適となるようにカスタマイズ（初期設定）することが望ましい。
【０００３】
泡生成装置の操作装置に類似した技術として、給湯器用のリモコンが特許文献１及び２に開示されている。特許文献１の給湯器リモコンは、パラメータ変更スイッチ、パラメータ選択スイッチ、モード切替手段などを備え、温水温度の調整だけでなく自動湯張りや浴室暖房まで調整できるようになっている。そして、スイッチ類の操作順序を合理化することで使用者の使い勝手を向上できる、とされている。また、特許文献２の給湯器の遠隔操作リモコンは、モード選択手段、モード表示手段、設定値選択手段などを備え、スイッチ数を増やすことなく新たな機能や設定モードを容易に増やすことが可能になる、とされている。
【０００４】
一方、泡生成装置の専用の調整装置に類似した技術として、特許文献３に給湯器の制御基板用データ書込装置が開示されている。このデータ書込装置は、複数個のキーを有する制御端末から成り、給湯器の制御基板に搭載されたマイクロコンピュータにデータを送出してメモリに書き込むようになっている。これにより、給湯器の制御基板を交換したときのデータの読み出しや写し取り等の煩雑な作業が不要になる、とされている。
【先行技術文献】
【特許文献】
【０００５】
【特許文献１】特開２００６−２２６５４４号公報
【特許文献２】特開２００４−３４７２８７号公報
【特許文献３】特開平１０−３２５５９６号公報
【発明の概要】
【発明が解決しようとする課題】
【０００６】
ところで、泡生成装置の泡質の最適化の調整及び初期設定は、据え付け施工時に施工者が一度実施すれば、以降はユーザが繰返して行う必要はない。逆に、いつでも誰でも調整できるようになっていると、ユーザの不用意な誤操作により泡生成装置の動作条件が変更され、泡質の最適化が損なわれるおそれがある。特許文献１及び２のリモコンは、このような誤操作に対する防止機能が不十分と考えられ、泡入浴装置への適用は好ましくない。
【０００７】
また、特許文献３のデータ書込装置は、泡入浴装置の据え付け施工時の調整及び初期設定に適用できるが、据え付け施工のたびに設置箇所まで持ち込む必要があって煩わしく、データ書込装置自体の設計コスト及び製造コストも増加する。
【０００８】
なお、泡入浴装置の制御装置に限らずコンピュータを応用した制御装置では、据え付け施工時に調整や初期設定を行う調整モードを隠しモードあるいは隠しメニューとすることが行われている。すなわち、予め定められた特定の操作手順を実施することで調整モードへ遷移できるように制御装置の制御ロジックを構成し、特定の操作手順を施工者のみに開示してユーザには開示しないようにする。これにより、ユーザの誤操作のおそれは低減されるが、ユーザのイレギュラーな操作が偶発的に特定の操作手順に類似して調整モードに遷移するおそれが全く無くなる訳ではない。
【０００９】
本発明は上記背景技術の問題点に鑑みてなされたものであり、据え付け施工時に施工者によって調整及び初期設定された最適な泡質をユーザが誤って低下させることがなく、簡素でコスト低廉な泡入浴装置を提供することを解決すべき課題とする。
【課題を解決するための手段】
【００１０】
本発明の泡入浴装置は、温水に空気を混入させて泡を生成し、生成された泡を浴室に設置された浴槽に供給する泡生成装置と、前記浴室外に電源入り切り手段を有し複数の制御モードを内部に有して前記泡生成装置で生成する泡の泡質の調整ならびに泡生成動作及び停止を制御する制御装置と、前記浴室を利用するユーザが操作する操作スイッチを有して前記制御装置の制御モードを切り替え操作する操作装置と、を備えた泡入浴装置であって、少なくとも前記制御装置の電源入り切り手段の入り操作を含む複数の操作を組み合わせた操作手順を実施することにより、前記制御装置の制御モードを前記泡生成装置の泡質を調整する泡質調整モードに遷移させるようにした。
【００１１】
さらに、前記操作手順は、前記電源入り切り手段が入り操作されてから前記操作スイッチが操作されるまでの起動時間、及び、前記操作スイッチが操作されてから前記電源入り切り手段が切り操作されるまでの停止時間の少なくとも一方を所定時間範囲内に限定した操作を含むことが好ましい。
【００１２】
さらに、前記制御装置の前記泡質調整モードにおいて、前記操作装置の操作スイッチの操作により前記泡生成装置で前記泡質を調整するときの動作条件を変更できるようにしてもよい。
【００１３】
さらに、前記制御装置の電源入り切り手段は、電源プラグのコンセントへの差し操作及びコンセントからの抜き操作によって行われることが好ましい。
【発明の効果】
【００１４】
本発明の泡入浴装置では、少なくとも浴室外の電源入り切り手段の入り操作を含む複数の操作を組み合わせた操作手順を実施することにより、制御装置の制御モードを泡質調整モードに遷移させるようにしている。これにより、操作手順中に浴室外での操作を含むので、浴室を利用するユーザ（浴室で入浴中のユーザ）の誤操作あるいはイレギュラーな操作が行われても偶発的に泡質調整モードに遷移するおそれを低減できる。したがって、据え付け施工時に施工者によって調整及び初期設定された最適な泡質をユーザが誤って低下させることがない。
【００１５】
さらに、前記操作手順が起動時間及び停止時間の少なくとも一方を所定時間範囲内に限定した操作を含む態様では、操作の順番だけでなく時間制約の条件を付け加えたので、ユーザの誤操作のおそれを一層低減できる。さらに、時間制約の条件を付け加えることにより少数の操作スイッチで当該操作手順を実現できる。したがって、操作装置をシンプルな構成にでき、コストも低減できる。
【００１６】
さらに、泡質調整モードにおいて、操作スイッチの操作により泡質を調整するときの動作条件を変更できるようにした態様では、モード遷移用及び泡質調整用に操作スイッチを兼用できる。したがって、操作装置を小形でシンプルな構成にでき、コストも低減できる。
【００１７】
さらに、電源入り切り手段を電源プラグの抜き差し操作によって行う態様では、制御装置にメインスイッチを備える場合と比較して、ユーザのイレギュラーな操作で偶発的に泡質調整モードに遷移するおそれがより一層低減され、全く考えなくてもよくなる。つまり、操作装置の操作スイッチの操作と制御装置の電源プラグの抜き差し操作とを組み合わせた特定の操作手順は、ユーザが操作装置のみをイレギュラーに操作しても発生し得ない。したがって、据え付け施工時に施工者によって調整及び初期設定された最適な泡質をユーザが誤って低下させることは有り得なくなる。また、制御装置のメインスイッチを無くして簡素化できるので、泡入浴装置のコストも低廉になる。
【図面の簡単な説明】
【００１８】
【図１】本発明の実施形態の泡入浴装置の構成を模式的に説明する図である。
【図２】制御装置が内部に有する制御モード及びモード遷移条件を示すモード遷移図（状態遷移図）である。
【図３】据え付け施工時に施工者が行う泡質調整フローのフローチャートである。
【図４】通常の使用時にユーザが行う泡生成フローのフローチャートである。
【発明を実施するための形態】
【００１９】
本発明を実施するための実施形態を、図１〜図４を参考にして説明する。図１は、本発明の実施形態の泡入浴装置１の構成を模式的に説明する図である。泡入浴装置１は、泡生成装置２、制御装置３、及び操作装置４で構成され、一般的な交流電源で動作する。
【００２０】
泡生成装置２は、浴室９１内の浴槽９２に隣接して設置されており、泡を生成し泡を含んだ温水を浴槽９２に供給する。泡生成装置２は、アクチュエータとして図略の温水循環ポンプ、エアコンプレッサ、及び撹拌ポンプを有している。温水循環ポンプは、浴槽９２から温水を採取し、泡を含んだ温水を吐泡口２１から浴槽９２内に噴出するように、閉水路内で温水を循環させるアクチュエータである。エアコンプレッサは、閉水路の途中で温水内に空気を混入させるアクチュエータである。撹拌ポンプは、空気の混入された温水を撹拌して泡を生成するアクチュエータである。
【００２１】
また、泡生成装置２は、閉水路を開閉する弁類や温水の温度を検出する温度センサなどを有している。さらに、泡生成装置２は、図略の温水器から温水を導入する温水器連係手段や、泡の生成効率を向上するための発泡剤供給手段、不要な泡を無くすための消泡手段などを有していてもよい。前述した３つのアクチュエータや弁類の動作は制御装置３から制御され、前述した温度センサなどの検出信号は制御装置３に伝送される。泡生成装置２の内部構成は、上述に限定されず、公知の構成を適宜応用できる。
【００２２】
３つのアクチュエータの動作条件は可変に調整できるようになっており、動作条件の組み合わせに依存して生成される泡の泡質が変化する。例えば、温水循環ポンプの動作条件を「強」に設定すれば吐泡口から泡を含んだ温水が強く噴出され、「弱」に設定すれば泡を含んだ温水が弱く噴出される。また、エアコンプレッサの動作条件を「強」に設定すれば温水中の泡の比率が高まり、「弱」に設定すれば泡の比率が低下する。さらに、撹拌ポンプの動作条件を「強」に設定すれば温水中の泡が微細となり、「弱」に設定すれば泡は大きくなる。
【００２３】
本実施形態において、３つのアクチュエータの動作条件として、１０通りの組み合わせが予め準備されている。そして、各動作条件の組み合わせと組合せ番号Ｎ（＝１〜１０）とを対応付けたプリセット情報が制御装置３内に記憶されている。据え付け施工時には、施工者が設置箇所の環境条件に合わせていずれかの組み合わせを選択して組合せ番号Ｎを初期設定し、泡質が最適となるようにカスタマイズする。なお、泡質を最適化する調整及び初期設定は、据え付け施工時に施工者が一度実施すればよく、以降ユーザは設定変更を行うべきではない。動作条件の組み合わせは１０通りに限定されず、組み合わせの総数は任意である。さらには、インバータなどを用いて動作条件を可変連続的に調整するようにしてもよい。
【００２４】
制御装置３は、浴室９１の隣の隣室９５に設置されており、後述する複数の制御モードＭ１〜Ｍ５を内部に有して泡生成装置２で生成する泡の泡質の調整ならびに泡生成動作及び停止を制御する。制御装置３には電子制御装置が用いられており、図略のコンピュータを内蔵し、入出力部３１を備え、ソフトウェアで記述された制御ロジックで動作するようになっている。複数の制御モード及びモード間の遷移は、制御ロジックによって規定されている。入出力部３１は、接続線３２、３３を用いて泡生成装置２及び操作装置４に接続されており、適宜制御指令や検出情報を授受するようになっている。なお、接続線３２、３３に代えて無線通信手段を備え、制御指令や検出情報を無線通信で授受するようにしてもよい。
【００２５】
制御装置３は、電源入り切り手段としてのメインスイッチを有していない。したがって、電源の遮断及び投入は、電源入り切り手段としての電源プラグ３４を隣室９５内のコンセント９６に抜き差し操作することによって行う。電源プラグ３４をコンセント９６に差し操作すると、制御装置３の電源が投入されて自動的に起動し、泡生成装置２及び操作装置４への電源供給も行われる。電源プラグ３４は、長期間にわたって差し込まれた状態に維持されるのが一般的であるが、泡入浴装置１を使用するたびに抜き差し操作してもよい。なお、制御装置３がメインスイッチを有する構成としてもよく、電源の入り切り操作を浴室外で行う点は変わらない。
【００２６】
操作装置４は、入浴中のユーザの操作の便宜を考慮して浴室９１内の壁面に設置されている。なお、これに限定されず、操作装置４を浴室９１外、例えば浴室入口の手前の壁面に設置するようにしてもよい。操作装置４は、操作部４１及び表示部４５で構成されている。操作部４１は、ユーザが表示部４５の画面を切り替えるための操作スイッチ４２、及びユーザが泡生成動作と停止とを切り替えるための常用スイッチ４３を有している。本実施形態では、操作スイッチ４２を、施工者が泡質調整を行うための操作スイッチとしている。操作スイッチ４２及び常用スイッチ４３には、例えば押しボタン式スイッチを用いることができ、その押下操作は制御装置３で検出される。
【００２７】
表示部４５には、例えば、液晶ディスプレイを用いることができ、あるいは、発光ダイオード（ＬＥＤ）などの表示ランプを適宜組み合わせて用いるようにしてもよい。表示部４５の表示内容は、制御装置３から指令される。例えば、画面にて制御装置３の制御モードＭ１〜Ｍ５を表示する際、表示部４５は、制御装置３の各制御モードＭ１〜Ｍ５に対応してそれぞれ、「起動中」「スタンバイ」「泡生成」「初期スタンバイ」「泡質調整」を表示する。さらに、表示部４５は、制御装置３の泡質調整モードＭ５における３つのアクチュエータの動作条件の組み合わせを示す組合せ番号Ｎを表示する。
【００２８】
次に、制御装置３の制御モードＭ１〜Ｍ５とモード遷移条件について説明する。図２は、制御装置３が内部に有する制御モードＭ１〜Ｍ５及びモード遷移条件を示すモード遷移図（状態遷移図）である。図示されるように、制御装置３は、電源投入確認モードＭ１、スタンバイモードＭ２、泡生成モードＭ３、初期スタンバイモードＭ４、及び泡質調整モードＭ５の５モードを有している。ユーザの通常の使用時に、制御装置３は電源投入確認モードＭ１、スタンバイモードＭ２、及び泡生成モードＭ３の３モードに遷移する。初期スタンバイモードＭ４及び泡質調整モードＭ５は、据え付け施工時に施工者が泡質調整及び初期設定を行うための専用の制御モードである。
【００２９】
図２中の最も上に示された停止の状態で、制御装置３の電源プラグ３４をコンセント９６に差し操作すると、電源が投入され動作中に移行して制御ロジックが起動する。制御装置３の制御ロジックでは、まず調整許可条件が成立しているか否かを判定する（図中のＭ０）。調整許可条件は、泡質調整モードＭ５へ遷移するための前提条件であり、後述するように過去の操作履歴が所定履歴を辿っている場合に限り成立する。したがって、初回起動の場合や、過去の操作履歴が所定履歴と異なる場合には調整許可条件は不成立となっており、電源投入確認モードＭ１に遷移する。また、調整許可条件が成立しているときは、初期スタンバイモードＭ４に遷移する。
【００３０】
電源投入確認モードＭ１は、調整許可条件を成立させるか否かを選択するモードである。電源投入確認モードＭ１で、３０秒が経過すると自動的にスタンバイモードＭ２に遷移する。また、３０秒以内に操作装置４の操作スイッチ４２が押下されると、調整許可条件を成立させてスタンバイモードＭ２に遷移する。
【００３１】
ここで、制御装置３の電源プラグ３４を差し操作してから３０秒以内に操作装置４の操作スイッチ４２を押下することは、泡質調整モードＭ５に遷移するための第１操作手順となる。第１操作手順では、電源が入り操作されてから操作スイッチ４２が押下されるまでの起動時間を３０秒以内という所定時間範囲内に限定している。
【００３２】
スタンバイモードＭ２は、通常の使用時には、ユーザによる常用スイッチ４３の押下を待機するモードとなる。スタンバイモードＭ２で、常用スイッチ４３が押下されると、泡生成モードＭ３に遷移する。また、スタンバイモードＭ２は、据え付け施工時には、一旦成立した調整許可条件を不成立させるか否かを選択するモードとなる。スタンバイモードＭ２で１分が経過すると、自動的に調整許可条件を不成立とする。
【００３３】
ここで、調整許可条件を成立状態で保持するためには、スタンバイモードＭ２に遷移した後１分以内に電源プラグ３４をコンセント９６から抜き操作して電源を遮断する必要があり、これが泡質調整モードＭ５に遷移するための第２操作手順となる。第２操作手順では、電源投入確認モードＭ１での操作スイッチ４２が押下されてからスタンバイモードＭ２で電源が切り操作されるまでの停止時間を１分以内という所定時間範囲内に限定している。
【００３４】
泡生成モードＭ３は、泡入浴装置１が主機能を発揮するモードであり、後述する初期設定済みの最適値Ｎｂｅｓｔに基づいて３つのアクチュエータを起動制御し、泡を含んだ温水を吐泡口２１から浴槽９２内に噴出する。泡生成モードＭ３で、常用スイッチ４３が押下されると、スタンバイモードＭ２に遷移する。
【００３５】
初期スタンバイモードＭ４は、泡質調整モードＭ５の起動待ちをしているモードであり、電源が投入されて起動した時点で調整許可条件が成立しているときにのみ遷移する。調整許可条件は、過去の操作履歴が第１操作手順及び第２操作手順をこの順番で辿っている場合に限り成立している。初期スタンバイモードＭ４で１分が経過すると自動的にスタンバイモードＭ２に遷移し、１分以内に操作スイッチ４２が押下されると泡質調整モードＭ５に遷移する。
【００３６】
ここで、制御装置３の電源プラグ３４を再度差し操作してから１分以内に操作スイッチ４２を押下する操作が、泡質調整モードＭ５に遷移するための第３操作手順となる。第３操作手順では、電源が再度入り操作されてから操作スイッチ４２が押下されるまでの起動時間を１分以内という所定時間範囲内に限定している。結局、泡質調整モードＭ５に遷移するために、施工者は第１、第２、及び第３操作手順をこの順番通りに行う必要がある。
【００３７】
なお、初期スタンバイモードＭ４には、調整許可条件が成立しているときに泡質調整モードＭ５に直ちに遷移せず、施工者が泡質調整を実施して良いか否かを確認するための時間を確保する意味が有る。例えば、浴槽９２に温水が無い状態だと、アクチュエータが空運転をして負担のかかるおそれがある。また例えば、発泡剤が投入されていないと良好に泡を生成できない。このような泡質調整に障害となる事項が無いことを確認した上で、施工者は泡質調整モードＭ５への遷移を行うことができる。
【００３８】
泡質調整モードＭ５は、３つのアクチュエータの動作条件の組み合わせを表すプリセット情報に基づいて各組合せ番号Ｎで試験的に泡を生成し、泡質が最適となる動作条件の組合せ番号Ｎを初期設定するモードである。泡質調整モードＭ５に遷移すると、まず組合せ番号Ｎ＝１に該当する動作条件で試験的に泡が生成される。また、操作スイッチ４２が押下されるたびに組合せ番号Ｎが１ずつ増加し、泡質調整モードＭ５を維持して組合せ番号Ｎに該当する動作条件で泡が生成される。さらに、組合せ番号Ｎ＝１０に該当する動作条件で泡が生成されているときに操作スイッチ４２が押下されると、組合せ番号Ｎ＝１に該当する動作条件に戻り、以降サイクリックに動作条件が変更される。泡質調整モードＭ５で試験的に泡が生成される各組合せ番号Ｎは、表示部４５に表示されている。
【００３９】
そして、泡質が最適となる動作条件の組合せ番号Ｎが判明すると、施工者は、当該の組合せ番号Ｎで泡が生成されているときに常用スイッチ４３を押下する。すると、制御装置３内に当該の組合せ番号Ｎが最適値Ｎｂｅｓｔとして保存され、スタンバイモードＭ２に遷移する。
【００４０】
なお、いずれの制御モードＭ１〜Ｍ５においても、電源プラグ３４が抜き操作されて電源が遮断されると、泡入浴装置１全体が停止する。このとき、前述した調整許可条件及び最適値Ｎｂｅｓｔは、不揮発性メモリに保存されているので保持される。
【００４１】
次に、実施形態の泡入浴装置１の操作フローについて説明する。図３は、据え付け施工時に施工者が行う泡質調整フローのフローチャートである。図中の右側は泡入浴装置１の動作を示し、中央は施工者の操作を示し、左側は制御装置３の制御モードを示している。このフローチャートに準拠した泡質調整の手順は、施工者向けの施工要領書などに開示されており、ユーザ向けの取扱説明書には開示されていない。
【００４２】
図中のステップＳ１で、まず施工者が電源プラグ３４をコンセント９６に差し操作すると、制御装置３が起動する。このとき、初回起動であるため調整許可条件は成立しておらず、電源投入確認モードＭ１に遷移する。ステップＳ２で、制御装置３は表示部４５を「起動中」とし、ステップＳ３で起動後に３０秒が経過したか否かを判定する。そして、３０秒以内にステップＳ４で施工者が操作スイッチ４２を押下すると、ステップＳ５で調整許可条件を成立させてスタンバイモードＭ２に遷移する（第１操作手順）。また、ステップＳ４で操作スイッチ４２が押下されていないと、電源投入確認モードＭ１を維持してステップＳ３に戻る。ステップＳ３で３０秒が経過すると、泡質調整を行わずに泡質調整フローを終了してスタンバイモードＭ２で待機する。
【００４３】
スタンバイモードＭ２のステップＳ６で、制御装置３は、表示部４５を「スタンバイ」とする。そして、１分以内にステップＳ７で施工者が電源プラグ３４を抜き操作すると、調整許可条件の成立状態を保持して停止する（第２操作手順）。また、１分が経過しても電源プラグ３２の抜き操作が行われなかったとき、泡質調整を行わずに泡質調整フローを終了してスタンバイモードＭ２で待機する。
【００４４】
次に、ステップＳ８で、施工者が電源プラグ３４をコンセント９６に再度差し操作すると、制御装置３が再度起動する。このとき、調整許可条件が成立しているので初期スタンバイモードＭ４に遷移する。制御装置３は、ステップＳ９で表示部４５を「初期スタンバイ」とし、ステップＳ１０で再度の起動後に１分が経過したか否かを判定する。そして、１分以内にステップＳ１１で施工者が操作スイッチ４２を押下すると、泡質調整モードＭ５に遷移する（第３操作手順）。また、ステップＳ１１で操作スイッチ４２が押下されていないと、初期スタンバイモードＭ４を維持してステップＳ１０に戻る。ステップＳ１０で１分が経過すると、泡質調整を行わずに泡質調整フローを終了してスタンバイモードＭ２で待機する。
【００４５】
泡質調整モードＭ５のステップＳ１２で、制御装置３は、表示部４５を「泡質調整」とし、さらに、初回は組合せ番号Ｎ＝１である旨の表示を行う。次のステップＳ１３では、組合せ番号Ｎ＝１に対応する動作条件で泡を試験的に生成する。そして、泡を生成しているときにステップＳ１４で施工者が操作スイッチ４２を押下すると、ステップＳ１５で組合せ番号Ｎを１だけ増加させ（Ｎ＝１０のときはＮ＝１に戻し）、ステップＳ１２に戻る。２回目以降のステップＳ１２では、組合せ番号Ｎの値に対応した表示を行い、２回目以降のステップＳ１３では、組合せ番号Ｎの値に対応する動作条件で泡を試験的に生成する。
【００４６】
そして、泡質が最適となる動作条件の組合せ番号Ｎで泡を生成しているときに、ステップＳ１６で施工者が常用スイッチ４３を押下すると、ステップＳ１７で当該の組合せ番号Ｎを最適値Ｎｂｅｓｔとして保存する。制御装置３は泡の生成を終了し、これで泡質調整及び初期設定が完了し、泡質調整フローを終了してスタンバイモードＭ２で待機する。なお、泡質調整フロー終了後のスタンバイモードＭ２で１分間が経過すると、調整許可条件が不成立とされる。
【００４７】
次に、図４は、通常の使用時にユーザが行う泡生成フローのフローチャートである。図中の右側は泡入浴装置１の動作を示し、中央はユーザの操作を示し、左側は制御装置３の制御モードを示している。図中のステップＳ３１で、まずユーザが電源プラグ３４をコンセント９６に差し操作すると、制御装置３が起動する。このとき、初回起動であるため調整許可条件は成立しておらず、電源投入確認モードＭ１に遷移する。制御装置３は、ステップＳ３２で表示部４５を「起動中」とし、３０秒が経過すると自動的にスタンバイモードＭ２に遷移する。
【００４８】
スタンバイモードＭ２のステップＳ３３で、制御装置３は、表示部４５を「スタンバイ」とする。なお、図３の泡質調整フローが終了したときは、ステップＳ３３に合流する。そして、ステップＳ３４で、ユーザが常用スイッチ４３を押下すると、泡生成モードＭ３に遷移する。泡生成モードＭ３のステップＳ３５で表示部４５を「泡生成」とし、ステップＳ３６で初期設定済みの最適値Ｎｂｅｓｔに基づいて泡を生成し、泡を含んだ温水を吐泡口２１から浴槽９２内に噴出する。
【００４９】
泡を生成しているときに、ステップＳ３７で、ユーザが常用スイッチ４３を押下すると、ステップＳ３８で泡の生成を停止する。そしてその後、スタンバイモードＭ２に遷移し、ステップＳ３３に戻る。以降は、常用スイッチ４３の押下操作のたびにスタンバイモードＭ２と泡生成モードＭ３とが交互に切り替わる。
【００５０】
仮に、図４の電源投入確認モードＭ１中に、ユーザがイレギュラーな操作として常用スイッチ４３でなく操作スイッチ４２を３０秒以内に押下すると、第１操作手順を実施したことになって図３のステップＳ５に到達し、一時的に調整許可条件が成立する。しかしながら、図３の泡質調整フローを知らないユーザが、ステップＳ７に示される第２操作手順及びステップＳ１１に示される第３操作手順を続けて行うことは殆ど考えられない。特に、第２操作手順及び第３操作手順は浴室９１外での電源プラグ３４の抜き差し操作を含み、加えて所定時間範囲内の制約もあるため、偶発的にユーザがこれらの操作手順を行うことは考えなくてもよくなる。この結果、ユーザのイレギュラーな操作スイッチ４２の操作があっても、制御装置３はスタンバイモードＭ２と泡生成モードＭ３との間でのみ遷移し、泡質調整モードＭ５に遷移することはあり得ない。
【００５１】
実施形態の泡入浴装置１によれば、操作スイッチ４２の操作と浴室９１外での制御装置３の電源の入り切り操作とを組み合わせた第１〜第３操作手順をこの順番通りに実施した場合に限り、制御装置３の制御モードを泡質調整モードＭ５に遷移させるようにしている。さらに、制御装置３の電源の入り切り操作を電源プラグ３４の抜き差し操作によって行い、第１及び第３操作手順で起動時間を所定時間範囲内に限定し、第２操作手順で停止時間を所定時間範囲内に限定している。これにより、ユーザのイレギュラーな操作で偶発的に泡質調整モードＭ５に遷移するおそれが低減され、全く考えなくてもよくなる。したがって、据え付け施工時に施工者によって調整及び初期設定された最適な泡質をユーザが誤って低下させることがない。
【００５２】
また、操作装置４に設けられた操作部４１の操作スイッチ４２は複数の機能を持つことから、操作装置４が小形でシンプルな構成とされて操作が簡単である。さらに、制御装置３は、電源の入り切り操作を電源プラグ３４の抜き差し操作によって行い、メインスイッチを備えず簡素である。これらの小形化及び簡素化の総合的な効果により、泡入浴装置１のコストが低廉になる。
【００５３】
なお、泡質調整モードＭ５に遷移するための第１〜第３操作手順は一例であって、様々な変形や応用が可能である。操作手順を複雑化すれば、ユーザの誤操作のおそれは低減されるが施工者の操作が煩雑化し、操作手順を簡略化すれば、ユーザの誤操作のおそれが増加して施工者の操作が軽減される。
【符号の説明】
【００５４】
１：泡入浴装置
２：泡生成装置    ２１：吐泡口
３：制御装置    ３１：入出力部    ３２、３３：接続線
３４：電源プラグ（電源入り切り手段）
４：操作装置    ４１：操作部    ４２：操作スイッチ    ４３：常用スイッチ
４５：表示部
９１：浴室    ９２：浴槽    ９５：隣室    ９６：コンセント
Ｍ１：電源投入確認モード    Ｍ２：スタンバイモード    Ｍ３：泡生成モード
Ｍ４：初期スタンバイモード    Ｍ５：泡質調整モード
Ｎ：３つのアクチュエータの動作条件の組合せ番号
Ｎｂｅｓｔ：組合せ番号の最適値
【図１】
2013090876.tif 000003
【図２】
2013090876.tif 000004
【図３】
2013090876.tif 000005
【図４】
2013090876.tif 000006